【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
真空掃除システムであって、
真空システムを含み、前記真空システムは、
真空組立体と、
真空入口ポート及び共通チャンバを備えた入口構造体と、
ごみチャンバを備えたゴミチャンバ構造体とを含み、
前記真空組立体の作動により、空気が前記真空入口ポート、前記共通チャンバ、及び前記ゴミチャンバ中に引き込まれ、
ホース部材及びホース端部キャリヤを含むホース組立体を含み、前記ホース組立体は、前記真空入口ポートに取り外し可能に取り付けられるようになっており、
収納チャンバ入口ポート及び前記共通チャンバに作動的に連結された収納チャンバ出口を有する収納チャンバを備えたホース収納構造体を含むホース収納システムを含み、
前記収納チャンバの少なくとも１つの曲がり部分は、前記収納チャンバ入口ポートと前記収納チャンバ出口との間に配置され、
前記収納チャンバは、チャンバ基準距離を定め、
前記ホース端部キャリヤは、キャリヤ基準距離を備え、前記キャリヤ基準距離は、前記チャンバ基準距離よりも僅かに小さく、
前記ホース部材は、ホース近位端部を備え、前記ホース端部キャリヤは、このホース近位端部から離間し、
前記ホース部材は、ホース基準距離を備え、前記キャリヤ基準距離は、前記ホース基準距離に対して、前記少なくとも１つの曲がり部分を通る前記ホース近位端部の動きを容易にするような寸法に設定されている、真空掃除システム。
【請求項２】
前記ホース収納構造体は、互いに上下方向に離間した前記収納チャンバの第１及び第２の部分を定めるよう組み立てられた第１、第２、及び第３の部分を少なくとも有する、請求項１記載の真空掃除システム。
【請求項３】
前記収納チャンバの前記第１及び前記第２の部分のうちの少なくとも一方は、蛇行している、請求項１記載の真空掃除システム。
【請求項４】
前記キャリヤ基準距離は、前記ホース基準距離よりも１５％から４０％の範囲にわたり長い、請求項１記載の真空掃除システム。
【請求項５】
前記キャリヤ基準距離は、前記ホース基準距離よりも１５％から１５０％の範囲にわたり長い、請求項１記載の真空掃除システム。
【請求項６】
制御システムが、前記ホース端部キャリヤが前記収納チャンバ入口ポートに入ったときに前記真空組立体をオンにし、前記ホース端部キャリヤが前記収納チャンバ出口に到達すると前記真空組立体をオフにするよう構成されている、請求項１記載の真空掃除システム。
【請求項７】
前記ホース端部キャリヤが前記収納チャンバに入ったときに開くよう構成されたドアを更に含み、前記制御システムは、前記ドアが開くと前記真空組立体をオンにする、請求項６記載の真空掃除システム。
【請求項８】
真空掃除システムであって、
真空システムを含み、前記真空システムは、
真空組立体と、
真空入口ポート及び共通チャンバを備えた入口構造体と、
ごみチャンバを備えたゴミチャンバ構造体とを含み、
前記真空組立体の作動により、空気が前記真空入口ポート、前記共通チャンバ、及び前記ゴミチャンバ中に引き込まれ、
前記真空入口ポートに取り外し可能に取り付けられるようになったホース組立体を含み、
収納チャンバ入口ポート及び前記共通チャンバに作動的に連結された収納チャンバ出口を有する収納チャンバを備えたホース収納構造体を含むホース収納システムを含み、
前記ホース収納構造体は、前記収納チャンバの第１及び第２の部分を定めるよう組み立てられた第１、第２、及び第３の部分を少なくとも有し、前記第１及び第２の部分のそれぞれを通って延びる第１及び第２の基準平面は、互いにずらされている、真空掃除システム。
【請求項９】
前記収納チャンバの前記第１及び前記第２の部分のうちの少なくとも一方は、蛇行している、請求項８記載の真空掃除システム。
【請求項１０】
制御システムが、前記ホース端部キャリヤが前記収納チャンバ入口ポートに入ったときに前記真空組立体をオンにし、前記ホース端部キャリヤが前記収納チャンバ出口に到達すると前記真空組立体をオフにするよう構成されている、請求項８記載の真空掃除システム。
【請求項１１】
前記ホース端部キャリヤが前記収納チャンバに入ったときに開くよう構成されたドアを更に含み、前記制御システムは、前記ドアが開くと前記真空組立体をオンにする、請求項１０記載の真空掃除システム。
【請求項１２】
真空システムのためのホース部材を収納する方法であって、
収納チャンバ入口ポートと、共通チャンバに作動的に連結された収納チャンバ出口と、少なくとも１つの曲がり部分とを有する収納チャンバを構成するステップを含み、
キャリヤ基準距離を定めるホース端部キャリヤを用意するステップを含み、
前記ホース端部キャリヤの前記キャリヤ基準距離は、前記収納チャンバのチャンバ基準距離よりも僅かに短く、
前記ホース端部キャリヤが前記ホース部材の近位端部から離間するように、前記ホース端部キャリヤを前記ホース部材に固定することによってホース組立体を形成するステップを含み、
前記ホース端部キャリヤが前記収納チャンバの前記少なくとも１つの曲がり部分のところで回動するように、前記ホース組立体を前記収納チャンバに沿って変位させるステップを含み、
前記ホース部材のホース基準距離は、前記キャリヤ基準距離に対して、前記ホース部材の前記近位端部が前記収納チャンバの前記少なくとも１つの曲がり部分を通過するように、前記ホース部材の前記近位端部が回動できるような寸法に設定されている、方法。
【請求項１３】
ホース収納構造体を提供するステップが、互いに上下方向に離間した前記収納チャンバの第１及び第２の部分を構成するように、少なくとも第１、第２、及び第３の部分を組み立てるステップを含む、請求項１２記載の方法。
【請求項１４】
前記収納チャンバの前記第１及び前記第２の部分のうちの少なくとも一方は、蛇行している、請求項１３記載の方法。
【請求項１５】
前記ホース基準距離よりも１５％から４０％の範囲にわたり長い前記キャリヤ基準距離を提供するステップを更に含む、請求項１２記載の方法。
【請求項１６】
前記ホース基準距離よりも１５％から１５０％の範囲にわたり長い前記キャリヤ基準距離を提供するステップを更に含む、請求項１２記載の方法。
【請求項１７】
第１のセンサを配置して前記ホース端部キャリヤが前記収納チャンバ入口ポートに入ったときに第１の信号を発生させるステップと、
第２のセンサを配置して前記ホース端部キャリヤが前記収納チャンバ出口に入ったときに第２の信号を発生させるステップと、
前記第１の信号が発生すると前記真空組立体をオンにするステップと、
前記第２の信号が発生すると前記真空組立体をオフにするステップとを更に含む、請求項１２記載の方法。
【請求項１８】
前記ホース端部キャリヤが前記収納チャンバに入ると開くドアを配置するステップと、
前記ドアが開くと前記第１の信号を発生させるよう前記第１のセンサを配置するステップとを更に含む、請求項１７記載の方法。
【請求項１９】
真空システムのためのホース部材を収納する方法であって、
収納チャンバ入口ポートと、共通チャンバに作動的に連結された収納チャンバ出口と、少なくとも１つの曲がり部分とを有する収納チャンバを構成するステップを含み、
キャリヤ基準距離を定めるホース端部キャリヤを用意するステップを含み、
前記ホース端部キャリヤの前記キャリヤ基準距離は、前記収納チャンバのチャンバ基準距離よりも僅かに短く、
前記ホース部材のホース基準距離は、前記キャリヤ基準距離に対して、前記収納チャンバに沿う前記ホース部材の動きを容易にするような寸法に設定され、
前記ホース端部キャリヤを前記ホース部材に固定することによってホース組立体を形成するステップを含み、
前記ホース端部キャリヤが前記収納チャンバの前記少なくとも１つの曲がり部分のところで回動するように、前記ホース組立体を前記収納チャンバに沿って変位させるステップを含み、
第１のセンサを配置して前記ホース端部キャリヤが前記収納チャンバ入口ポートに入ったときに第１の信号を発生させるステップを含み、
第２のセンサを配置して前記ホース端部キャリヤが前記収納チャンバ出口に入ったときに第２の信号を発生させるステップを含み、
前記第１の信号が発生すると前記真空システムをオンにするステップを含み、
前記第２の信号が発生すると前記真空システムをオフにするステップを含む、方法。
【請求項２０】
真空システムのためのホース部材を収納する方法であって、
収納チャンバ入口ポートと、共通チャンバに作動的に連結された収納チャンバ出口と、少なくとも１つの曲がり部分とを有する収納チャンバを構成するステップを含み、
キャリヤ基準距離を定めるホース端部キャリヤを用意するステップを含み、
前記ホース端部キャリヤの前記キャリヤ基準距離は、前記収納チャンバのチャンバ基準距離よりも僅かに短く、
前記ホース部材のホース基準距離は、前記キャリヤ基準距離に対して、前記収納チャンバに沿う前記ホース部材の動きを容易にするような寸法に設定され、
前記ホース端部キャリヤを前記ホース部材に固定することによってホース組立体を形成するステップを含み、
前記ホース端部キャリヤが前記収納チャンバの前記少なくとも１つの曲がり部分のところで回動するように、前記ホース組立体を前記収納チャンバに沿って変位させるステップを含み、
前記ホース端部キャリヤが前記収納チャンバに入ると開くドアを配置するステップを含み、
前記ドアが開くと第１の信号を発生させるよう第１のセンサを配置するステップを含む、方法。